(57)【特許請求の範囲】
【請求項１】
ガイド用のファスナ部材が、少なくとも上端に取り付けられた可撓性のスクリーンと、
横方向に延びて上記スクリーンの上方に設けられた上部横枠と、
スクリーンの横方向の一端を連結した巻取り軸が内部に収容されている巻取りボックスと、
上記巻取りボックスから繰出されたスクリーンのファスナ部材を抜止状態で摺動自在に係合させるスリット溝が下面に開設されていて、上記上部横枠内に収容されている長尺の上部ガイド部材と、
上記スクリーンの横方向の他端に取り付けられ、上記上部ガイド部材に沿ってスライドする操作框と、
を備えたロールスクリーン装置であって、
上記上部横枠は、下方に開口する溝状に形成されていて、その内部には、長手方向に沿ってそれぞれの側壁側から内向きに突設された一対の突出壁を有し、
上記上部ガイド部材には、長手方向に沿ってそれぞれの側壁から外向きに突設された一対の鍔部が形成されており、
上記上部横枠内において、上記上部ガイド部材は、その一対の鍔部を上記一対の突出壁の上側にそれぞれ配置すると共にそのスリット溝を該一対の突出壁間に配置した状態で、その両端部が該上部横枠に対して固定され、かつ、該上部ガイド部材の上に空間を形成することで、上方向に撓むことが許容されており、
上記鍔部とそれに対向する突出壁との間には、上記上部ガイド部材に対して上方向の付勢力を付与する付勢部材が設けられ、
上記操作框の上端部に一対の係合部が形成されると共に、上記上部ガイド部材の両側壁にそれぞれ被係合部が形成され、
これら被係合部に上記一対の係合部をそれぞれ係合させることにより、上記操作框が上記上部ガイド部材に対して摺動自在に保持されている、
ことを特徴とするロールスクリーン装置。
【請求項２】
上記付勢部材は、上記鍔部又は上記突出壁の何れか一方に一端部を固定し、その他方に他端部を当接した細長い板バネから成り、
該板バネは、上記上部ガイド部材の長手方向に延設されている、
ことを特徴とする請求項１に記載のロールスクリーン装置。
【請求項３】
上記上部横枠は、下方に開口する溝状に形成されていて、建物開口部の上枠に固定するための上部外横枠と、該上部外横枠の内部に着脱可能に収容され、下方に開口する溝状に形成された上部内横枠とから構成され、
該上部内横枠の内部に上記上部ガイド部材を収容すると共に、前記一対の突出壁が、該上部内横枠の側壁からそれぞれ内向きに突設され、
該上部内横枠におけるその上部ガイド部材が収容された部分の基端側をヒンジによって下方に回動自在とし、スクリーン装置の着脱に際しての該上部内横枠の折畳みを可能にしている、
ことを特徴とする請求項１又は２に記載のロールスクリーン装置。
【請求項４】
上記スクリーンの下端にもガイド用のファスナ部材が取り付けられており、
そのファスナ部材を抜止状態で係合させるスリット溝が上面に開設された下部ガイド部材を、上記巻取りボックスから繰り出されたスクリーンの下端に沿って設けている、
ことを特徴とする請求項１から３の何れかに記載のロールスクリーン装置。
【発明の詳細な説明】
【技術分野】
【０００１】
本発明は、建物の開口部に装着するためのスクリーン装置に関し、具体的には、防虫や遮光、目隠し、断熱または装飾等を目的としたロール式（巻取り式）のスクリーン装置に関する。
【背景技術】
【０００２】
従来から、このようなスクリーン装置としては、例えば特許文献１に開示されているように、インナーレールとしてのガイド体をそれぞれ内部に組み込んだ上下一対の枠と、巻取りボックス内の軸に巻き取られた防虫ネットとを備え、その巻取りボックスから防虫ネットを繰出した際に、その防虫ネットの上下端部を上記ガイド体によってそれぞれ案内させることで、左右方向に開閉可能としたロール式横引き網戸が知られている。そして、この従来のロール式横引き網戸においては、ネットの上下縁部に多数の係合片が全長に亘って取り付けられると共に、上下のガイド体にこれら係合片の幅よりも開口幅が狭いスリット溝が形成されており、これらの係合片は、そのスリット溝に対して抜け止めされた状態で移動自在に取り付けられている。
【０００３】
ところで、建物の開口部には様々なサイズのものがあり、開口幅や開口面積のより大きい開口部にもこのような網戸等のスクリーン装置を装着したいという要望があり、その場合、開口部の開口幅や開口面積に合わせてより大型のスクリーンを使用する必要性がある。しかしながら、上述のような従来のスクリーン装置においてそのような大型のスクリーンを使用すると、スクリーンの重量がより重くなるため、該スクリーンが自重で伸びることによって下方に弛んだり撓んだりする虞がある。
【先行技術文献】
【特許文献】
【０００４】
【特許文献１】特開２００８−５７２３２号公報
【発明の概要】
【発明が解決しようとする課題】
【０００５】
本発明は上記事情に鑑みなされたもので、その技術的課題は、スクリーンの自重による弛みや撓みを防止することのできるロールスクリーン装置を提供することにある。
【課題を解決するための手段】
【０００６】
上記課題を解決するため、本発明によれば、ガイド用のファスナ部材が、少なくとも上端に取り付けられた可撓性のスクリーンと、横方向に延びて上記スクリーンの上方に設けられた上部横枠と、スクリーンの横方向の一端を連結した巻取り軸が内部に収容されている巻取りボックスと、上記巻取りボックスから繰出されたスクリーンのファスナ部材を抜止状態で摺動自在に係合させるスリット溝が下面に開設されていて、上記上部横枠内に収容されている長尺の上部ガイド部材と、上記スクリーンの横方向の他端に取り付けられ、上記上部ガイド部材に沿ってスライドする操作框と、を備えたロールスクリーン装置であって、上記上部横枠は、下方に開口する溝状に形成されていて、その内部には、長手方向に沿ってそれぞれの側壁側から内向きに突設された一対の突出壁を有し、上記上部ガイド部材には、長手方向に沿ってそれぞれの側壁から外向きに突設された一対の鍔部が形成されており、上記上部横枠内において、上記上部ガイド部材は、その一対の鍔部を上記一対の突出壁の上側にそれぞれ配置すると共にそのスリット溝を該一対の突出壁間に配置した状態で、その両端部が該上部横枠に対して固定され、かつ、該上部ガイド部材の上に空間を形成することで、上方向に撓むことが許容されており、上記鍔部とそれに対向する突出壁との間には、上記上部ガイド部材に対して上方向の付勢力を付与する付勢部材が設けられ、上記操作框の上端部に一対の係合部が形成されると共に、上記上部ガイド部材の両側壁にはそれぞれ被係合部が形成され、これら被係合部に上記一対の係合部をそれぞれ係合させることにより、上記操作框が上記上部ガイド部材に対して摺動自在に保持されていることを特徴とするロールスクリーン装置が提供される。
【０００７】
本発明に係る上記ロールスクリーン装置の好ましい実施形態においては、上記付勢部材は、上記鍔部又は上記突出壁の何れか一方に一端部を固定し、その他方に他端部を当接した細長い板バネから成り、該板バネは、上記上部ガイド部材の長手方向に延設されているものとして構成される。
【０００８】
また、本発明に係る上記ロールスクリーン装置の好ましい実施形態においては、上記上部横枠は、下方に開口する溝状に形成されていて、建物開口部の上枠に固定するための上部外横枠と、該上部外横枠の内部に着脱可能に収容され、下方に開口する溝状に形成された上部内横枠とから構成され、該上部内横枠の内部に上記上部ガイド部材を収容すると共に、前記一対の突出壁が、該上部内横枠の側壁からそれぞれ内向きに突設され、該上部内横枠におけるその上部ガイド部材が収容された部分の基端側をヒンジによって下方に回動自在とし、スクリーン装置の着脱に際しての該上部内横枠の折畳みを可能にしたものとして構成することができる。
さらに、本発明に係る上記ロールスクリーン装置は、上記スクリーンの下端にもガイド用のファスナ部材が取り付けられており、そのファスナ部材を抜止状態で係合させるスリット溝が上面に開設された下部ガイド部材を、上記巻取りボックスから繰り出されたスクリーンの下端に沿うように設けたものとすることもできる。
【発明の効果】
【０００９】
このように、本発明に係るロールスクリーン装置によれば、上記上部横枠内において上記上部ガイド部材は、その一対の鍔部を上記一対の突出壁の上側にそれぞれ配置すると共にそのスリット溝を該一対の突出壁間に配置した状態で、その両端部が該上部横枠に対して固定され、かつ、該上部ガイド部材の上に空間を形成することで、上方向に撓むことが許容されており、上記上部ガイド部材に対して上方向の付勢力を付与している。そのため、スクリーンが自重で下方に伸びたとしても、上部ガイド部材が付勢部材の付勢力によって上方向に撓むことで、該スクリーンの弛みや撓みを防止することができる。
【図面の簡単な説明】
【００１０】
【図１】本発明の第１実施形態に係るロールスクリーン装置を建物の開口部に装着した状態を示す部分破断正面図である。
【図２】図１におけるＩＩ−ＩＩ断面拡大図である。
【図３】図１における上部インナーレール（上部ガイド部材）の部分斜視図である。
【図４】第１実施形態に係るスクリーンを閉じた状態を説明する部分拡大正面図である。
【図５】図４におけるＶ−Ｖ線断面図である。
【図６】第１実施形態に係るスクリーンの開閉途中の状態を説明する部分拡大正面図である。
【図７】図６におけるＶＩＩ−ＶＩＩ線断面図である。
【図８】本発明の第２実施形態に係るロールスクリーン装置を建物の開口に装着した状態を示す部分破断正面図である。
【図９】図８において、ファスナ部材がガイド駒のスリット溝に係合した状態を示す断面図である。
【発明を実施するための形態】
【００１１】
以下に、図１〜図７を参照しながら、本発明に係るロールスクリーン装置の第１実施形態について説明する。本実施形態のロールスクリーン装置１Ａは、防虫や遮光、目隠し、断熱または装飾等を目的として建物開口部に装着されるもので、例えばロール式の網戸装置、目隠し装置又は日よけ装置等に適用可能なものであるが、その中でも特にロール式網戸装置に好適である。そこで、以下においては、該ロールスクリーン装置１Ａをロール式網戸に適用した場合について説明をすることとする。
【００１２】
このロールスクリーン装置１Ａは、合成樹脂製の防虫ネットであるところの可撓性を有するスクリーン１０と、横方向（左右方向）に延設されていて、スクリーン１０の上方及び下方に互いに平行を成して配置された上部横枠２０及び下部横枠３２と、これら上部横枠２０及び下部横枠３２の一端同士を連結して縦方向（上下方向）に延設され、スクリーン１０を巻き取る巻取り軸２が、その軸回りに回動自在に支持されて収容された巻取りボックス３と、巻取りボックス３に対向する位置に、該ボックス３と互いに平行を成して配置され、上記上部横枠２０及び下部横枠３２の他端同士を連結している側枠４と、これら巻取りボックス３と側枠４との間において、これらと互いに平行を成して摺動自在に配置され、横引きによってスクリーン１０の開閉操作を行うための操作框４０とを備えている。
【００１３】
上記スクリーン１０の上下端には、後述する「上部ガイド部材」としての上部インナーレール５０、及び「下部ガイド部材」としての下部インナーレール６０に対して摺動自在に係合させるためのガイド用のファスナ部材１１，１２が、溶着や接着等により固定されている。このファスナー部材１１，１２は、合成樹脂や布等から成る可撓性の帯状体における長手方向に延びた一方の端縁に、その全長に亘って、多数の係合片（所謂スライドファスナーの一方の務歯）を一列に固定したもので、上記特許文献１にも開示されているように既に周知のものである。また、スクリーン１０の横方向の一端には巻取り軸２が連結されており、その他端には上記操作框４０が固定的に取り付けられている。そして、この巻取り軸２には、スクリーン１０を巻き取るための駆動源として、コイルスプリング５が内蔵されている。
【００１４】
上記上部横枠２０は、下方に向けて開口する溝状に形成されていて、建物開口部の上開口枠に固定するための長尺状の上部外横枠２１と、上部外横枠２１の内部に着脱可能に収容されていて、同じく下方に向けて開口する溝状に形成された長尺状の上部内横枠２２とから構成されている。そして、上部外横枠２１及び上部内横枠２２は、その一端側が上記巻取りボックス３の上端部に連結され、その他端側が上記側枠４の上端部に連結されている。そして、上記上部内横枠２２は、その内部に、上記スクリーン１０及び操作框４０の上端部を横方向に摺動させて案内するための上記上部インナーレール５０が収容されている。この上部インナーレール５０は、合成樹脂によって長尺で直線状に形成されていて、図中上下方向に可撓性を有している。
【００１５】
ここで、上記上部内横枠２２におけるその上部インナーレール５０が収容された部分は、その基端側がヒンジ２２ａによって下方（図中左回り）に回動自在となっており、その先端側が側枠４に対して係脱可能となっている。具体的には、側枠４の上端部に係止凹部２８が形成され、上部内横枠２２の先端側には係止突部２９が設けられており、この係止突部２９を上記係止凹部２８に対して嵌合により係合させることで、上部内横枠２２を側枠４に対して係止することができる。この係止突部２９は、バネ４８を介して上部内横枠２２に取り付けられており、このバネ４８の伸縮によって、係止凹部２８と係止突部２９との係脱が可能となっている。そうすることによって、建物開口部に対するスクリーン装置１Ａの着脱の際に、上部内横枠２２をコンパクトに畳むことができる。
【００１６】
さらに、上記上部内横枠２２の上部インナーレール５０が収容された回動部分は、図２、図５及び図７に示すように、その長手方向に延びて互いに対向する両側壁２３，２３の下端から内向きに突設された一対の突出壁２４，２４と、これらの突出壁２４，２４の先端縁間に形成された開口部２５とを有している。そして、これら突出壁２４，２４には、それらの下面からスクリーン１０側すなわち下方に垂下した一対の延出壁２６，２６と、それらの先端から上方に立設された一対のリブ２７，２７とが設けられている。そして、これらの突出壁２４，２４、延出壁２６，２６、及びリブ２７，２７は、いずれも上部内横枠２２の長手方向に沿って延設されている。
【００１７】  また、上記上部インナーレール５０には、スクリーン１０のファスナ部材１１を抜止状態で摺動自在に係合させたスリット溝５１が、長手方向に沿って下面に開設されている。このとき、このスリット溝５１は、図５及び図７に示すように、その溝幅が上記ファスナ部材１１の先端部の幅（すなわち、上記係合片の幅）よりも小さく、その奥部側の溝幅が該ファスナ部材１１の先端部の幅よりも大きく形成されている。そのため、スクリーン１０が上記巻取りボックスから繰り出された状態、すなわち、スリット溝５１の開口部を通じてその奥部にファスナ部材１１の先端部が挿入されている状態において、該ファスナー部材１１は、そのスリット溝５１の奥部における開口部側の内壁に当接することにより該スリット溝５１に対して係合され、該スリット溝５１から下方に抜脱するのが防止される。
【００１８】
この上部インナーレール５０の上端部には、長手方向に延びる両側壁５２，５２から、長手方向に沿って外向き（すなわち、互いに背向する方向）に突設された一対の鍔部５３，５３が形成されている。また、これら側壁５２，５２における上記鍔部５３，５３よりも下方からは、同じく長手方向に沿って外向きに突設された被係合部としての被係合凸部５４，５４が形成されている。このとき、これら一対の鍔部５３，５３の先端間の長さは、上記上部内横枠２２の両側壁２３，２３における対向する内面間の距離よりも若干小さく形成されると共に、上記開口部２５の幅よりも大きく形成されており、また、上記上部インナーレール５０の幅、すなわちその両側壁５２，５２における背向する外面間の距離は、上記上部内横枠２２の開口部２５の幅、すなわち上記突出壁２４，２４の先端間の距離よりも若干小さく形成されている。なお、これら鍔部５３，５３の長手方向の略中央には、後述する板バネ７０の一方の端部を挿通して、該鍔部５３，５３に固定するための貫通孔５６，５６がそれぞれ設けられている。
【００１９】
図２、図５及び図７に示すように、この上部インナーレール５０は、上記鍔部５３，５３を上部内横枠２２の突出壁２４，２４の上側にそれぞれ配置すると共に、上記スリット溝５１を上記開口部２５を通じてこれら一対の突出壁２４，２４間に配した状態で、上部内横枠２２内に収容され、その両端部５０ａ，５０ｂが、上部内横枠２２に対して固定されている。そして、このインナーレール５０よりも上部、すなわち、上下方向におけるこのインナーレール５０と上部内横枠２２との間には空間Ａが形成されている。そうすることによって、インナーレール５０における上記両端部５０ａ，５０ｂによって挟まれた中間部分が、上部内横枠２２内で上方向に湾曲して撓むことができるようになっている。
【００２０】
一方で、図１及び図２に示すように、建物開口部の下開口枠に固定される下部横枠３２は、基本的には、上部内横枠２２と同様の構成を有しているが、この上部内横枠２２とは上下が反対になっている。そして、この下部横枠３２の内部には、上記スクリーン１０及び操作框４０の下端部を横方向に摺動自在に案内する「下部ガイド部材」としての下部インナーレール６０が収容されている。この下部インナーレール６０も、基本的には、上部インナーレール５０と同様の構成を有しているが、この上部インナーレール５０とは上下が反対になっている。そして、下部横枠３２におけるその下部インナーレール６０が収容された部分も、その基端側がヒンジ３２ａによって上方（図中右回り）に回動自在となっており、その先端側が側枠４の下端部に対して係脱可能に係止されている。
【００２１】
したがって、上記下部横枠３２は、上方に向けて開口する中空に形成されており、互いに対向する両側壁３３，３３を有している。そして、上記下部横枠３２の下部インナーレール６０が収容された回動部分は、その両側壁３３，３３の上端から内向きに突設された一対の突出壁３４，３４と、これらの突出壁３４，３４の先端縁間に形成された開口部３５とを有している。また、これら突出壁３４，３４には、それらの上面からスクリーン１０側すなわち上方に立設された一対の延出壁３６，３６と、それらの先端から下方に垂下した一対のリブ３７，３７とが設けられている。
【００２２】
一方、上記下部インナーレール６０も、上部インナーレール５０と同様に、スクリーンの下端側のファスナ部材１２を抜止状態で係合させるスリット溝６１、鍔部６３，６３、及び被係合凸部６４，６４を有しており、両端が下部横枠に対して固定されている。なお、下部横枠３２及び下部インナーレール６０のより具体的な構造や相互の寸法関係は、上記上部内横枠２２及び上部インナーレール５０と同様であるから、ここでは説明を省略することとする。また、本実施形態では、この下部インナーレール６０には、後述する板バネ７０，７０は取り付けらていないが、必要に応じて設けても良い。
【００２３】
次に、上記上部インナーレール５０を上方向に付勢する付勢部材について説明する。図３、図７に示すように、本実施形態では、この付勢部材として一対の板バネ７０，７０が用いられており、これらの板バネ７０，７０が、上部インナーレール５０の長手方向の中央において、該インナーレール５０の鍔部５３，５３と上部内横枠２２の突出壁２４，２４との間にそれぞれ設けられている。これら板バネ７０，７０は、バネ弾性を有する金属材料によって細長に形成されたもので、上部インナーレール５０の長手方向に沿う方向に配置されている。
【００２４】
具体的に説明すると、この板バネ７０は、その一端部が下方に凸に湾曲されたバネ当接部７１を形成しており、このバネ部７１が上部内横枠２２の突出壁２４に当接されている。そして、この板バネ７０は、上記一端側のバネ当接部７１から他端部側に向けて上方に傾斜し、鍔部５３の下面において該下面に沿うように屈折されている。そして、この板バネ７０の他端部は、鍔部５３の貫通孔５６を通じて鍔部５３の上面に導出されると共に、逆方向に折り返されて固定部７２を形成しており、この固定部７２によって鍔部５３を挟持した状態で、該鍔部５３に対して固定されている。このとき、この固定部７２と鍔部５３との固定形態は、これに限られるものではなく、リベット止めやネジ止め等であってもよい。
【００２５】
そして、この板バネ７０は、上部インナーレール５０の鍔部５３と上部内横枠２２の突出壁２４との間に縮設されていて、スクリーン１０の上端側のファスナ部材１１が抜止状態で係合される該インナーレール５０に対しては、常に上方への付勢力を付与している。その一方で、スクリーン１０を巻取りボックス３から繰り出して閉じた状態においては、スクリーン１０の下端側のファスナ部材１２が、下部インナーレール６０のスリット溝６１に対して抜止状態で係合されるため、該スクリーン１０に対しては上下方向の張力が常に付与された状態となる。
【００２６】
このとき、上部内横枠２２の各突出壁２４，２４の先端から立設された上記リブ２７，２７は、上部インナーレール５０が下方に下がったときに、板バネ７０を圧潰から保護するストッパの役割を果たしている。また、本実施形態では、下部インナーレール６０にはそのような板バネが設けられていないため、下部横枠３２における各突出壁３４のリブ３７には、下部インナーレール６０の鍔部６３が当接している。ここで、スクリーン１０を閉じた状態において、上部インナーレール５０が略直線状になるように、上方に作用する板バネ７０の付勢力と、下方に作用するスクリーン１０の張力や重さ等との関係が調整されていることが望ましい。
【００２７】
なお、本実施形態の板バネ７０は、バネ部７１が巻取りボックス３側、固定部７２が側枠４側となるように配置されているが、バネ部７１が側枠４側、固定部７２が巻取りボックス３側となるように配置されてもよい。また、この板バネ７０は、バネ当接部７１を鍔部５３の下面に当接させ、固定部７２を突出壁２４に固定するものであってもよい。さらに、付勢部材として、板バネの代わりに弦巻バネ等の他のバネ部材や弾性材を用いてもよい。
【００２８】
図２、図７に示すように、操作框４０の上端部には、先端を略鉤型に相対峙させて立設する係合部としての一対の係合鉤４１，４１が形成されており、この係合鉤４１，４１が上部インナーレール５０の被係合凸部５４，５４に上から係合することで、操作框４０が上部インナーレール５０に対して摺動自在に保持されている。また、操作框４０の下端部には、その上端部と同様の係合鉤４２，４２が形成されており、この係合鉤４２，４２が下部インナーレール６０の被係合凸部６４，６４に下から係合することで、操作框４０が下部インナーレール６０に対して摺動自在に保持されている。そして、この係合鉤４１，４１と被係合凸部５４，５４は、上部内横枠２２における一対の延出壁２６，２６の間に位置し、係合鉤４２，４２と被係合凸部６４，６４は、下部横枠３２における一対の延出壁３６，３６の間に位置している。
【００２９】
次に、このような構成を有するロールスクリーン装置１Ａの作用について説明する。まず、当初、操作框４０の横引きによりスクリーン１０を巻取りボックス３から繰り出して、該スクリーン１０が完全に閉じられている状態においては、上部インナーレール５０に作用するスクリーン１０の張力や重さ等の下方への力と上記板バネ７０による上方への付勢力とが大凡釣り合って、この上部インナーレール５０は略直線状態が維持されている。
ところが、特に、建物開口幅が広い等によりスクリーン１０がより大型である場合には、年数の経過に伴い、図４のようにスクリーン１０を閉じた状態において、該スクリーン１０の特に中央部分が自重等によって徐々に下方へ伸びてしまうことも想定され、そのような場合、従来品の構造ではスクリーン１０に弛みや撓みを生じてしまう虞がある。
【００３０】
そこで、そのようなスクリーン１０の経年による弛みや撓みを防止するため、本実施形態においては、両端部５０ａ，５０ｂが固定された上部インナーレール５０の略中央部が、板バネ７０によって上方に付勢されていると共に、そのインナーレール５０の上方に該インナーレール５０の撓みを許容する空間Ａが形成されている。そうすることによって、たとえ経年によって、スクリーン１０に自重等による伸びが生じたとしても、図４及び図５に示すように、板バネ７０の付勢力でインナーレール１０が上方へ撓むことにより、閉じた状態のスクリーン１０の中央部分が持ち上げられる。その結果、スクリーン１０の上下方向への張りが維持されて、上述のような弛みや撓みを防止することができる。なお、上記スクリーン１０が、巻取りボックス３の巻取り軸２に巻き取られて完全に開いている状態においては、上部インナーレール５０には板バネ７０の付勢力のみが上方に作用するため、該インナーレール５０は最も上方に撓んだ状態となっている。
【００３１】
その一方で、操作框４０によりスクリーン１０を開閉操作している時に、上述のように、上部インナーレール５０が上方に撓んだままの状態であると、スクリーンのファスナ部材１１もこの撓んだインナーレール５０に沿って摺動することとなる。そうすると、ファスナ部材１１に不要な負荷がかかり、スクリーン１０の開閉操作のスムーズさが損なわれる虞があるばかりでなく、スクリーン１０の寿命にも影響を与える虞がある。そこで、本実施形態においては、上述のように、操作框４０の上端部に形成されている係合鉤４１，４１が、上部インナーレール５０の被係合凸部５４，５４に係合されている。
【００３２】
そのため、操作框４０が中間位置にある開閉操作時には、図６及び図７に示すように、操作框４０の係合鉤４１が上部インナーレール５０の被係合凸部５４，５４に対して上方から当接することにより、上部インナーレール５０に対して、撓んだ上部インナーレール５０を下方に押し下げる力が、板バネ７０の付勢力に抗して作用する。その結果、スクリーン１０の開閉操作時には、上部インナーレール５０の撓みが抑制されることによって、ファスナ部材１１への負荷を軽減することができ、スクリーン１０の開閉操作をスムーズに行うことができる。
【００３３】
次に、図８、図９を参照しながら、本発明に係るロールスクリーン装置の第２実施形態について説明する。なお、ここでは、上記第１実施形態と主に異なる構成部分について説明し、実質的に同じ構成部分については、重複記載を避けるため、第１実施形態と同じ符号を付して具体的な説明を省略することとする。
この第２実施形態に係るロールスクリーン装置１Ｂと、上記第１実施形態のロールスクリーン装置１Ａとの主な相違点は、「下部ガイド部材」廻りの構成にある。すなわち、この第２実施形態に係るロールスクリーン装置１Ｂは、上記第１実施形態のものにおける下部横枠３２、及びそれに収容された下部インナーレール６０に代えて、建物開口部の下開口枠に固定されるガイドレール８１と、スクリーン１０が巻取りボックス３から繰り出された際に、そのスクリーン１０の下端に沿って、操作框４０内から上記ガイドレール８１上に導出される「下部ガイド部材」としての下部ガイド枠８０とを有している。
【００３４】
上記ガイドレール８１は、上部インナーレール５０の真下にそれと平行に固定されるものであり、その長手方向に延びる両側面には一対の凹溝８１ａ，８１ａが形成されている。一方、上記下部ガイド枠８０は、複数のガイド駒８３を一列に配列して互いに隣接するガイド駒８３，８３同士を屈曲可能に連結することにより、全体として下方向に凸に湾曲可能に形成されている。また、それらガイド駒８３の上面には、上記下部インナーレール６０のスリット溝６１と同様にして形成されたスリット溝８４が開設されており、該スリット溝８４に、巻取りボックス３から繰り出されたスクリーン１０の下端側のファスナ部材１２が、抜止状態で係合されるようになっている。
【００３５】
また、該ガイド駒８３の上端部における上記スリット溝８４の両側には、このスリット溝８４に沿って一対の貫通孔８３ａが設けられており、そこに可撓性のワイヤー８５を挿入することによって、上述のように、上記複数のガイド駒８３が相互に屈曲可能に連結されている。これらガイド駒８３の下面には、下部ガイド枠８０の長手方向に延びる凹溝状のレール受け８３ｂが形成されており、このレール受け８３ｂの溝幅は、上記ガイドレール８１のレール幅よりも若干大きく形成されている。そうすることで、スクリーン１０の開閉操作の際、すなわち下部ガイド枠８０が操作框４０内から導出された際に、このレール受け８３ｂが、上記ガイドレール８１に対して係合することができるようになっている。
【００３６】
さらに、上記操作框４０の内部には上下方向に延びるように形成された収納室４３が形成されていて、該操作框４０の下端部にはこの収納室４３へと通じる入出口４４が開設されており、この入出口４４を通じて下部ガイド枠８０が、操作框４０内の収納室４３から出入りするようになっている。そして、下部ガイド枠８０の一端が、固定端として巻取りボックス３の下端部に固定されると共に、その他端が、自由端として入出口４４を通じて操作框４０内の収納室４３に配置されている。
【００３７】
このような構成を有するロールスクリーン装置１Ｂにおいて、上記操作框４０を横引きにより横方向（図中左方向）にスライドさせてスクリーンを閉じると、下部ガイド枠８０は、巻取りボックス３から繰り出されたスクリーン１０の下端側のファスナ部材１２をスリット溝８４に係合させながら、該操作框４０内から入出口４４を通じて上記ガイドレール８１上に、直線的に導出される。逆に、スクリーンを開くと、ガイドレール８１上から上記入出口４４を通じて上方に湾曲しながら操作框４０の収納室４３内に収容されていく。
【００３８】
そして、本実施形態においても、上記第１実施形態と同様にして、両端部５０ａ，５０ｂが固定された上部インナーレール５０の略中央部が、板バネ７０によって上方に付勢されていると共に、そのインナーレール５０の上方に該インナーレール５０の撓みを許容する空間Ａが形成されている。そのため、たとえ経年によって、スクリーン１０に自重等による伸びが生じたとしても、図４及び図５に示すように、板バネ７０の付勢力でインナーレール１０が上方へ撓むことにより、閉じた状態のスクリーン１０の中央部分が持ち上げられ、その結果、スクリーン１０の上下方向への張りが維持されて弛みや撓みを防止することができる。
【００３９】
ただし、このとき、上記下部ガイド枠８０はガイドレール８１に対して上方向に係合されていないため、スクリーン１０を完全に閉じた状態において、板バネ７０の付勢力で下部ガイド枠８０がガイドレール８１から浮上がらないように、下部ガイド枠８０に一定の重さを持たせておく必要性がある。なお、上記レール受け８３ｂの対向する内側壁に係合突部を設けてガイドレール８１の一対の凹溝８１ａ，８１ａに係合させることで、下部ガイド枠８０の浮きを防止する場合には、下部ガイド枠８０の一端を操作框４０の下端に固定し、他端側を巻取りボックス３側に収容するようにするか、または、先に特願２０１６−０６０４４８号にて出願人が提案した、ガイドレールに対して係脱自在に構成されたガイド駒を使用すればよい。
【００４０】
さらに、本実施形態においても、上記第１実施形態と同様に、操作框４０が中間位置にある開閉操作時には、図６及び図７に示すように、操作框４０の係合鉤４１が上部インナーレール５０の被係合凸部５４，５４に対して上方から当接することで、上部インナーレール５０の撓みが抑制され、その結果、ファスナ部材１１への負荷を軽減することができ、スクリーン１０の開閉操作をスムーズに行うことができる。
【００４１】
以上、本発明に係るロールスクリーン装置の各実施形態について説明してきたが、本発明は上記の実施形態に限定されることなく、特許請求の範囲の趣旨を逸脱しない範囲で様々な設計変更が可能であることは言うまでもない。
【符号の説明】
【００４２】
１Ａ，１Ｂ        ロールスクリーン装置
２                巻取り軸
３                巻取りボックス
１０              スクリーン
１１，１２        ファスナ部材
２０              上部横枠
２３              側壁
２４              突出壁
２５              開口部
４０              操作框
４１              係合鉤（係合部）
５０              上部インナーレール（上部ガイド部材）
５０ａ，５０ｂ    両端部
５１，６１，８４  スリット溝
５３              鍔部
５４              被係合凸部（被係合部）
６０              下部インナーレール（下部ガイド部材）
８０              下部ガイド枠（下部ガイド部材）
【図１】
0006803147.tif 000002
【図２】
0006803147.tif 000003
【図３】
0006803147.tif 000004
【図４】
0006803147.tif 000005
【図５】
0006803147.tif 000006
【図６】
0006803147.tif 000007
【図７】
0006803147.tif 000008
【図８】
0006803147.tif 000009
【図９】
0006803147.tif 000010